(57)【要約】【課題】出力画像の内容に応じて自動的に解像度を設定することのできる電子機器を得る。【解決手段】制御部は、付帯情報受信部より付帯情報を受け取ると、その付帯情報を、その内容に応じた区分に区分けして、区分毎の受信頻度を嗜好性テーブルに格納し、投射ないし印字時に、嗜好性テーブルが保持する受信頻度を読み取り、区分毎の受信頻度に応じて出力画像の解像度を調整することを特徴とする。【選択図】図１
2008145754.tif 000002
【特許請求の範囲】
【請求項１】
画像を出力する機能を備えた電子機器であって、
入力信号に基づく出力画像信号を生成する信号処理部と、
前記出力画像信号に基づいて画像を出力する画像出力部と、
前記信号処理部及び前記画像出力部の動作を制御する制御部と、
前記入力信号の内容を表す付帯情報を受信して前記制御部に出力する付帯情報受信部と、
前記付帯情報の受信頻度を保持するテーブルを格納する記憶部と、
を備え、
前記制御部は、
前記付帯情報受信部より前記付帯情報を受け取ると、その付帯情報を、その内容に応じた区分に区分けして、区分毎の受信頻度を前記テーブルに格納し、
前記信号処理部が前記出力画像信号を出力する際に、
前記テーブルが保持する前記受信頻度を読み取り、
前記区分毎の受信頻度に応じて出力画像の解像度を調整するように前記信号処理部又は前記画像出力部に指示を出す
ことを特徴とする電子機器。
【請求項２】
操作内容に応じた操作信号を出力する操作部を備え、
前記操作部は、
前記区分のうち１ないし複数が選択された旨の操作信号を出力し、
前記制御部は、
その操作信号を受け取ると、その区分が選択された旨の情報を前記テーブルに格納し、
前記信号処理部が前記出力画像信号を出力する際に、
選択された旨の情報が格納された区分を前記テーブルより検索し、
前記付帯情報の内容に応じた区分と、選択された旨の情報が前記テーブルに格納された区分とが、一致するか否かを判定し、
その判定結果に応じて、
出力画像の解像度を調整するように前記信号処理部又は前記画像出力部に指示を出す
ことを特徴とする請求項１に記載の電子機器。
【請求項３】
画像を出力する機能を備えた電子機器の出力画像解像度を制御する方法であって、
当該電子機器が出力する画像の内容を表す付帯情報の受信頻度を保持するテーブルを設け、
前記付帯情報を受信するステップと、
その付帯情報を、その内容に応じた区分に区分けして、区分毎の受信頻度を前記テーブルに格納するステップと、
前記テーブルが保持する前記受信頻度を読み取り、前記区分毎の受信頻度に応じて出力画像の解像度を調整するステップと、
を有することを特徴とする電子機器の出力画像解像度制御方法。
【請求項４】
操作内容に応じた操作信号を出力する操作部を設け、
前記区分のうち１ないし複数が選択された旨の操作信号を前記操作部より受信するステップと、
その区分が選択された旨の情報を前記テーブルに格納するステップと、
選択された旨の情報が格納された区分を前記テーブルより検索するステップと、
前記付帯情報の内容に応じた区分と、選択された旨の情報が前記テーブルに格納された区分とが、一致するか否かを判定するステップと、
その判定結果に応じて、出力画像の解像度を調整するステップと、
を有することを特徴とする請求項３に記載の電子機器の出力画像解像度制御方法。
【発明の詳細な説明】
【技術分野】
【０００１】
本発明は、電子機器とその出力画像の解像度制御方法に関するものである。
【背景技術】
【０００２】
従来、『複数の番組の中から利用者の嗜好に適合した番組を効率的に検索及び選択する番組選択装置を提供する。』ことを目的とした技術として、『表示部１０４と、一定量の番組の番組毎に番組の内容を表す複数の番組情報を番組名を含む複数の番組属性として保持する番組属性保持部１０１と、視聴された番組についての番組属性の数を番組属性毎に積算し、番組属性毎の視聴頻度として保持する視聴履歴保持部１０８、視聴番組抽出部１０７、視聴頻度抽出部１０９及び視聴頻度保持部１１０と、視聴頻度保持部１１０に保持された視聴頻度に基づいて番組属性保持部１０１に保持された番組情報を表示部１０４に表示させる番組属性抽出部１１１、リンク生成部１１２、視聴頻度保持部１１０、番組属性取得部１０２及び番組表生成部１０３とを備える。』というものが提案されている（特許文献１）。
また、ネットワークを介して投射する映像データを受信するプロジェクタや、同じくネットワークを介して印刷するデータを受信するプリンタが、公知のものとなっている。
【０００３】
【特許文献１】特開平１１−７５１２８号公報（要約）
【発明の開示】
【発明が解決しようとする課題】
【０００４】
一般に、プロジェクタやプリンタのような画像を出力する機能を備えた電子機器は、一定の解像度で映像投射や印字を行う。しかし、必ずしも全ての投射ないし印字時に最高レベルの解像度を用いる必要はなく、むしろ機器の寿命等の観点からは、必要に応じて解像度を加減できることが望ましい。解像度を設定できる機能を備えるものもあるが、ユーザがその都度設定を行わなければならず、その分の手間がかかる。
本発明は、上記のような課題を解決するためになされたものであり、出力画像の内容に応じて自動的に解像度を設定することのできる電子機器を得ることを目的とする。
【課題を解決するための手段】
【０００５】
本発明に係る電子機器は、画像を出力する機能を備えた電子機器であって、入力信号に基づく出力画像信号を生成する信号処理部と、前記出力画像信号に基づいて画像を出力する画像出力部と、前記信号処理部及び前記画像出力部の動作を制御する制御部と、前記入力信号の内容を表す付帯情報を受信して前記制御部に出力する付帯情報受信部と、前記付帯情報の受信頻度を保持するテーブルを格納する記憶部と、を備え、前記制御部は、前記付帯情報受信部より前記付帯情報を受け取ると、その付帯情報を、その内容に応じた区分に区分けして、区分毎の受信頻度を前記テーブルに格納し、前記信号処理部が前記出力画像信号を出力する際に、前記テーブルが保持する前記受信頻度を読み取り、前記区分毎の受信頻度に応じて出力画像の解像度を調整するように前記信号処理部又は前記画像出力部に指示を出す。
そのため、ユーザが電子機器を使って出力する頻度の高いカテゴリの画像等に関しては高解像度で出力し、頻度の低いカテゴリの画像等は低解像度で出力する、といったように、出力回数を基準としてユーザの出力画像に対する関心度を判断し、これに合わせて解像度を自動的に調整することができる。
また、関心の低いカテゴリの画像等であれば低解像度で素早く出力することができ、ユーザビリティが増す。
【０００６】
また、本発明に係る電子機器は、操作内容に応じた操作信号を出力する操作部を備え、前記操作部は、前記区分のうち１ないし複数が選択された旨の操作信号を出力し、前記制御部は、その操作信号を受け取ると、その区分が選択された旨の情報を前記テーブルに格納し、前記信号処理部が前記出力画像信号を出力する際に、選択された旨の情報が格納された区分を前記テーブルより検索し、前記付帯情報の内容に応じた区分と、選択された旨の情報が前記テーブルに格納された区分とが、一致するか否かを判定し、その判定結果に応じて、出力画像の解像度を調整するように前記信号処理部又は前記画像出力部に指示を出す。
そのため、ユーザは自分の関心のあるカテゴリについて最高レベルの解像度で出力するように自ら設定できる。
この機能によれば、上記ような解像度を自動調整する機能を利用しつつ、出力回数は少ないが綺麗に出力したい特殊な画像などの場合は最高解像度で出力するように事前設定しておき、解像度を都度設定しなくても済む。
したがって、上記と同様の効果を維持し、かつユーザにとっては、高解像度を望む場合でも解像度を都度設定する手間が省けるため、使い勝手のよい電子機器を提供することができる。
【０００７】
また、本発明に係る電子機器の出力画像解像度制御方法は、画像を出力する機能を備えた電子機器の出力画像解像度を制御する方法であって、当該電子機器が出力する画像の内容を表す付帯情報の受信頻度を保持するテーブルを設け、前記付帯情報を受信するステップと、その付帯情報を、その内容に応じた区分に区分けして、区分毎の受信頻度を前記テーブルに格納するステップと、前記テーブルが保持する前記受信頻度を読み取り、前記区分毎の受信頻度に応じて出力画像の解像度を調整するステップと、を有する。
そのため、上記と同様の効果を得ることができる。
【０００８】
また、本発明に係る電子機器の出力画像解像度制御方法において、操作内容に応じた操作信号を出力する操作部を設け、前記区分のうち１ないし複数が選択された旨の操作信号を前記操作部より受信するステップと、その区分が選択された旨の情報を前記テーブルに格納するステップと、選択された旨の情報が格納された区分を前記テーブルより検索するステップと、前記付帯情報の内容に応じた区分と、選択された旨の情報が前記テーブルに格納された区分とが、一致するか否かを判定するステップと、その判定結果に応じて、出力画像の解像度を調整するステップと、を有する。
そのため、上記と同様の効果を得ることができる。
【発明を実施するための最良の形態】
【０００９】
実施の形態１．
図１は、本発明の実施の形態１に係るプロジェクタの構成を示すブロック図である。
図１のプロジェクタ１は、光源１３、液晶ライトバルブ駆動部１４、液晶ライトバルブ１５Ｒ、１５Ｇ、及び１５Ｂ、投射光学系１６、スクリーンＳＣ、制御部２１、映像入力部３１、映像信号処理部３２、フレームメモリ３３、操作パネル４１、操作信号処理部４２、記憶部５１、付帯情報受信部６１を備える。
【００１０】
光源１３は、最終的にユーザへ表示する映像のための光源供給部であり、液晶ライトバルブ１５Ｒ、１５Ｇ、及び１５Ｂに向けて光を射出する。
液晶ライトバルブ駆動部１４は、映像信号処理部３２が出力する出力映像信号に基づいて、液晶ライトバルブ１５Ｒ、１５Ｇ、及び１５Ｂを駆動する。
液晶ライトバルブ１５Ｒ、１５Ｇ、及び１５Ｂは、複数の図示しない画素がマトリクス状に形成されており、液晶ライトバルブ駆動部１４により各画素の透過率が調整されることにより、光源１３から射出された光を変調し、投射光学系１６に向けて射出する。
液晶ライトバルブ１５Ｒ、１５Ｇ、及び１５Ｂから射出された光は、投射光学系１６によってスクリーンＳＣ上に拡大投射される。
投射光学系１６には、投射光の焦点を変更可能なフォーカス機構と、投射光の拡大率を変更可能なズーム機構とが備えられている。
本発明における「画像出力部」は、光源１３、液晶ライトバルブ駆動部１４、液晶ライトバルブ１５Ｒ、１５Ｇ、及び１５Ｂ、及び投射光学系１６がこれに該当する。
【００１１】
制御部２１は、映像信号処理部３２の動作を制御するための信号を、映像信号処理部３２に出力する。また、操作信号処理部４２より受け取った操作信号に基づき、対応する制御動作を実行する。また、付帯情報受信部６１より付帯情報を受け取り、記憶部５１内に構成された嗜好性テーブル５１ａに格納する。
さらに、記憶部５１が格納している嗜好性テーブル５１ａを読み出し、そのデータに基づいて投射映像の解像度を調整するように映像信号処理部３２を制御し、又は光源１３の光量を調整する。
嗜好性テーブル５１ａの構成と関連する処理の詳細は、後述の図２〜図４を用いて説明する。
制御部２１は、例えばマイコンやＤＳＰ（Ｄｉｇｉｔａｌ  Ｓｉｇｎａｌ  Ｐｒｏｃｅｓｓｏｒ）のような演算装置で構成することができる。
【００１２】
映像入力部３１は、プロジェクタ１の外部機器等から与えられる映像信号を受け取り、アナログ映像信号であればデジタル映像信号に変換するなどの処理を施して、映像信号処理部３２に出力する。
映像信号処理部３２は、映像入力部３１からの入力映像信号を１フレーム（１画面）毎にフレームメモリ３３に記憶させるとともに、フレームメモリ３３に記憶された映像（以下、フレーム映像ともいう）を読み出す機能を有し、入力映像信号と制御部２１の指示に基づいてデジタルの出力映像信号を生成して液晶パネル駆動部１１に出力する。
映像信号処理部３２は、マイクロプロセッサ等により構成され、内蔵したプログラムを実行することにより、上記の処理を行う。
【００１３】
映像入力部３１に入力される映像信号の供給源としては、例えばＴＶチューナーからの放送映像信号や、ＶＴＲ機器からの録画映像信号、コンピュータの映像出力端子から出力される映像信号、等がある。
また、映像入力部３１の具体的な構成としては、入力映像信号のフォーマット等に応じて、ピン端子やコンポジット入力端子、Ｓ端子などの一般的なＡＶ端子の他、同軸ケーブルの入力端子、赤外線入力部、等の構成とすることができる。
なお、図１においては、ＰＣ（パーソナルコンピュータ）２の表示画面を、プロジェクタ１を用いて投射する場合について例示している。
【００１４】
操作パネル４１は、プロジェクタ１の本体筐体の外面に設けられ、ユーザの操作情報を受け付けるためのものである。
ユーザが操作パネル４１に配置されたキーを押下等すると、それに対応した操作信号が操作信号処理部４２に出力される。
また、リモコンＲＣも操作パネル４１と同様にユーザの操作情報を受け付け、それに対応した操作信号を無線通信により操作信号処理部４２に出力する。
操作信号処理部４２は、操作パネル４１やリモコンＲＣが出力した操作信号を受け取り、デジタル信号に変換するなどの処理を施して、制御部２１に出力する。
【００１５】
記憶部５１は、後述の図２で説明する嗜好性テーブル５１ａを格納する。
記憶部５１は、ＨＤＤやＮＶＲＡＭ（Ｎｏｎ  Ｖｏｌａｔｉｌｅ  ＲＡＭ）等の書き込み可能かつ不揮発性の記憶装置により構成される。
本実施の形態１における「テーブル」は、嗜好性テーブル５１ａがこれに相当する。
【００１６】
付帯情報受信部６１は、映像入力部３１に入力される映像信号の内容を表す付帯情報（「メタデータ」と呼ばれることもある）を受信し、制御部２１に出力する。
図１においては、付帯情報の供給元はＰＣ２であるものとするが、一般には必ずしも入力映像信号の供給元と同じである必要はない。
【００１７】
なお、ＰＣ２と映像入力部３１、ＰＣ２と付帯情報受信部６１の間の通信経路は、それぞれ別に構成してもよいし、同一の通信経路を兼用してもよい。また、通信方式は有線・無線のいずれでもよい。
さらには、映像入力部３１と付帯情報受信部６１を外形上単一の信号受信部として構成し、該信号受信部が受信信号を解析して、入力映像信号を映像信号処理部３２に引き渡すとともに、付帯情報を制御部２１に引き渡すように構成してもよい。また、受信信号の解析は制御部２１が行い、入力映像信号のみ映像信号処理部３２に引き渡すように構成してもよい。
【００１８】
図２は、嗜好性テーブル５１ａの構成とデータ例を示すものである。
嗜好性テーブル５１ａは、「カテゴリ」列と「受信頻度」列を有する。
「カテゴリ」列は、付帯情報受信部６１が受け取った付帯情報のうち、その内容をあらわ和す情報、即ちカテゴリ情報を格納する。これは、映像入力部３１が受け取った入力映像信号のコンテンツカテゴリに相当する。
「受信頻度」列は、付帯情報受信部６１が受け取った付帯情報のカテゴリ毎の受信頻度を格納する。これは、映像入力部３１が受け取った入力映像信号のカテゴリ毎の受信頻度に相当する。本列には、カテゴリ毎に集計済みの値が格納される。
各列にデータを格納する際の処理の詳細は、後述の図４で説明する。
【００１９】
図３は、本実施の形態１に係るプロジェクタの利用シーンの一例を示すものである。
図３において、３０１は本実施の形態１に係るプロジェクタ、３０２はノートＰＣである。ここでは、説明の簡単のため、プロジェクタ３０１は入力映像信号と付帯情報の双方を受信可能な無線信号受信部を備え、無線信号受信部が受信した映像信号を映像信号処理部３２に引き渡すとともに、同時に受信した付帯情報を制御部２１に引き渡すように構成されているものとする。
【００２０】
図３において、ユーザはプロジェクタ３０１で投射するための画像データを無線通信でプロジェクタ３０１に送信する操作をノートＰＣ３０２上で行う。このとき、その画像データの内容を簡潔に表す付帯情報、例えば「スポーツ」といった情報を、画面上で入力ないし選択するなどして、併せてプロジェクタ３０１に送信する。
画像データをプロジェクタ３０１に送信する際に、プロジェクタ３０１が解釈可能な映像信号に変換するための機能、及び付帯情報をこれに併せて送信するために必要な機能は、ノートＰＣ３０２にインストールされているソフトウェア等により、あらかじめノートＰＣ３０２上に備えられているものとする。
【００２１】
図４は、図３においてプロジェクタ３０１の無線信号受信部が映像信号と付帯情報を受信したときの動作フローを示すものである。以下、各ステップの処理内容を説明する。
（Ｓ４０１）ユーザが、プロジェクタ３０１で投射するための画像データを無線通信でプロジェクタ３０１に送信する操作をノートＰＣ３０２上で行う。プロジェクタ３０１の無線信号受信部は、無線通信で送信された映像信号と付帯情報を受信する。
（Ｓ４０２）無線信号受信部は、受信した無線信号から映像信号を取り出して映像入力部３１に出力するとともに、付帯情報を取り出して付帯情報受信部６１に出力する。その後、映像信号は映像信号処理部３２に出力され、付帯情報は制御部２１に出力される。
（Ｓ４０３）制御部２１は、ステップＳ４０２で受け取った付帯情報を基に、記憶部５１が格納している嗜好性テーブル５１ａの該当データを更新する。例えば付帯情報として「スポーツ」を受け取った場合、図２の１行目の「受信頻度」列の値を１つ加算する。
（Ｓ４０４）制御部２１は、嗜好性テーブル５１ａが保持しているデータを読み取り、ステップＳ４０２で映像信号処理部３２が受け取った映像信号を投射する際の解像度の値を決定する。決定に際しては、投射しようとしている画像データの付帯情報が、嗜好性テーブル５１ａ内でどの位置にあるかが影響する。図２のデータ例では、「スポーツ」の受信頻度は最も多いため、高い解像度とする。
（Ｓ４０５）制御部２１は、ステップＳ４０４で決定した解像度で投射を行うように、映像信号処理部３２へ指示を出す。映像信号処理部３２は、その解像度で映像投射を行うように、液晶ライトバルブ駆動部１４の動作を制御する。
【００２２】
なお、ステップＳ４０４で制御部２１が解像度を決定する際の基準には、例えば以下のようなものが考えられる。
（１）「受信頻度」列の値が最も多い場合は最高の解像度、２〜５位の場合は中程度の解像度、それ以下の順位の場合は低解像度、というようにあらかじめ対応関係のルールを定めておく。
（２）「受信頻度」列の値の順位が全体の上位３分の１以内であれば最高の解像度、中間の３分の１であれば中程度の解像度、下位３分の１以下であれば低解像度、というように相対的な順位で解像度をランク付けする。
【００２３】
解像度の調整方法としては、映像投射に用いる液晶素子を間引いて投射する、画像データ自体をダウンコンバートしてから投射する、あるいは投射時に近隣の複数の液晶素子をブロック化する、といった方法を採り得る。
【００２４】
本実施の形態１では、制御部２１から映像信号処理部３２に解像度の指示を与える例を説明したが、解像度を調整する代わりに、光源１３の光量を制御部２１の指示により調整するように構成してもよい。
【００２５】
また、本実施の形態１では、付帯情報はユーザがノートＰＣ上のソフトウェア等を用いて入力ないし選択する旨を説明したが、画像データ等のヘッダ情報にその画像のカテゴリ情報が含まれているような場合には、そのヘッダ情報からカテゴリ情報を自動的に抽出してもよい（例えばＪＦＩＦ形式のＪＰＥＧ画像データなど）。
【００２６】
以上のように、本実施の形態１によれば、ユーザがプロジェクタを使って投射する頻度の高いカテゴリの画像等に関しては高解像度で投射し、頻度の低いカテゴリの画像等は低解像度で投射する、といったように、投射回数（＝受信頻度）を基準としてユーザの投射画像に対する関心度を判断し、これに合わせて解像度を自動的に調整することができる。
これにより、関心の低いカテゴリの画像等であれば低解像度で素早く投射することができ、ユーザビリティが増す。
また、光源１３の光量をユーザの関心度に応じて調整するので、関心度の低い画像等を投射する場合には光量を少なくして光源１３の寿命を長くすることができ、ユーザにとって経済的なメリットがある。
【００２７】
実施の形態２．
実施の形態１では、投射回数（＝受信頻度）を基準としてユーザの投射画像に対する関心度を判断し、これに合わせて解像度を自動的に調整するプロジェクタの構成について説明した。
本発明の実施の形態２では、投射回数に関わらず、ユーザが自分の関心のあるカテゴリを自ら設定することのできるプロジェクタの構成を説明する。
【００２８】
図５は、ユーザが自分の関心のあるカテゴリについて設定するための設定画面イメージを示すものである。
ユーザは、本実施の形態２に係るプロジェクタが提供する図５のような画面で、自分の関心のあるカテゴリを設定する。
図５において、「カテゴリ」列と「受信頻度」列の値は、制御部２１が嗜好性テーブル５１ａのデータを読み込んで、その値を画像表示するように映像信号処理部３２を制御する。「優先」列の値に表示されている「ＯＮ／ＯＦＦ」ボタンは、押下するたびに「ＯＮ／ＯＦＦ」が切り替わるものであり、「ＯＮ」にすることにより、そのカテゴリに関心があることをプロジェクタに伝える。
【００２９】
図６は、本実施の形態２における嗜好性テーブル５１ａの構成とデータ例を示すものである。
本実施の形態２における嗜好性テーブル５１ａは、実施の形態１の図２で説明した「カテゴリ」列と「受信頻度」列に加えて、新たに「関心フラグ」列を有する。
「関心フラグ」列には、図５の画面で「ＯＮ」がセットされたカテゴリに相当する行では「１」がセットされ、その他の行では「０」がセットされる。
【００３０】
嗜好性テーブル５１ａの「関心フラグ」列に値をセットする際のプロジェクタ内部動作は、以下のようになる。
（１）ユーザはリモコンＲＣ又は操作パネル４１を操作し、図５のような画面で「関心」列のボタンをＯＮ／ＯＦＦ設定する。操作信号処理部４２は、その操作内容に対応する操作信号を制御部２１に出力する。
（２）制御部２１は、操作信号処理部４２より受け取った操作信号を受け取り、記憶部５１にアクセスして、嗜好性テーブル５１ａの該当する行データの「関心フラグ」列に「０」又は「１」をセットする。「０」は図５の画面の「ＯＦＦ」に対応し、「１」は「ＯＮ」に対応する。
【００３１】
なお、本実施の形態２における「操作部」は、操作信号処理部４２がこれに相当する。
また、「操作信号」は、ユーザが図５の画面で「ＯＮ／ＯＦＦ」選択することに関連して制御部２１に出力される操作信号がこれに相当する。
また、「選択された旨の情報を格納する」とは、「嗜好性テーブル５１ａ」の該当する行データの「関心フラグ」列に「１」をセットすることが、これに相当する。
【００３２】
図７は、本実施の形態２に係るプロジェクタの無線信号受信部が映像信号と付帯情報を受信したときの動作フローを示すものである。以下、各ステップの処理内容を説明する。
（Ｓ７０１）〜（Ｓ７０３）の内容は、図４のステップＳ４０１〜Ｓ４０３と同様であるため、説明を省略する。
（Ｓ７０４）制御部２１は、嗜好性テーブル５１ａが保持しているデータを読み取り、ステップＳ７０２で受け取った付帯情報に対応するデータの「関心フラグ」列の値を確認する。同列の値が「１」であればステップＳ７０６へ進み、それ以外であればステップＳ７０５へ進む。
（Ｓ７０５）制御部２１は、ステップＳ７０２で映像信号処理部３２が受け取った映像信号を投射する際の解像度の値を決定する。決定処理の内容は、図４のステップＳ４０４と同様である。
（Ｓ７０６）制御部２１は、ステップＳ７０２で映像信号処理部３２が受け取った映像信号を投射する際の解像度の値を最高レベルに決定する。
（Ｓ７０７）制御部２１は、ステップＳ７０５又はＳ７０６で決定した解像度で投射を行うように、映像信号処理部３２へ指示を出す。映像信号処理部３２は、その解像度で映像投射を行うように、液晶ライトバルブ駆動部１４の動作を制御する。
【００３３】
以上の処理により、ユーザが「関心＝ＯＮ」に設定したカテゴリの画像データ等を投射する際は、それまでの投射回数（＝受信頻度）に関わらず、最高レベルの解像度で投射されることとなる。
なお、解像度を調整する代わりに、光源１３の光量を制御部２１の指示により調整するように構成してもよい。
【００３４】
以上のように、本実施の形態２によれば、ユーザは自分の関心のあるカテゴリについて最高レベルの解像度で投射するように自ら設定できる。
この機能によれば、実施の形態１で説明したような解像度を自動調整する機能を利用しつつ、投射回数は少ないが綺麗に投射したい特殊な画像など（例えば医療用画像）の場合は最高解像度で投射するように事前設定しておき、解像度を都度設定しなくても済む。
そのため、実施の形態１と同様の効果を維持し、かつユーザにとっては、高解像度を望む場合も解像度を都度設定する手間が省けるため、使い勝手のよいプロジェクタを提供することができる。
【００３５】
実施の形態３．
本発明の実施の形態３では、印刷するデータに対するユーザの関心度に応じて、印字の解像度や印字濃度を調整することのできるプリンタの構成を説明する。なお、インクジェットプリンタを例に説明するが、その他のプリンタであっても同様に構成することができることを付言しておく。
【００３６】
図８は、本実施の形態３に係るプリンタにおけるインクジェットヘッドの制御系の構成例を示す概略ブロック図である。
以下、図８を用いて、本実施の形態３に係るプリンタにおけるインクジェットヘッドの制御動作を説明する。
図８に示すインクジェットヘッドの制御系は、ＣＰＵ８０２ａを中心に構成されたインクジェットヘッド制御部８０２を備えている。
ＣＰＵ８０２ａには、外部装置８０３からバス８０３ａを介して印刷情報が供給される。また、内部バス８０２ｂを介して、ＲＯＭ８０４ａ、ＲＡＭ８０４ｂ、キャラクタジェネレータ８０４ｃが接続されている。
ここでいう外部装置８０３の例として、例えばＰＣのようなＩＴ機器が考えられる。
【００３７】
インクジェットヘッド制御部８０２では、ＲＡＭ８０４ｂ内の記憶領域を作業領域として用いて、ＲＯＭ８０４ａに格納されている制御プログラムを実行し、キャラクタジェネレータ８０４ｃから発生するキャラクタ情報に基づき、インクジェットヘッド駆動用の制御信号を生成する。
制御信号は、論理ゲートアレイ８０５および駆動パルス発生回路８０６を介して、印刷情報に対応した駆動制御信号となって、コネクタ８０７を経由して、ヘッド基板８０８に形成されたドライバＩＣ８０９に供給される。
また、ドライバＩＣ８０９には、印字用の駆動電圧パルスＶ３、駆動信号ＤＩ、制御信号ＬＰ、極性反転制御信号ＲＥＶ、基準伝送クロックＸＳＣＬやＧＮＤなども供給される。
ドライバＩＣ８０９では、供給された上記の各信号に基づき、インクジェットヘッド８２０に印加すべき駆動電圧パルスを、共通出力端子ＣＯＭと個別出力端子ＳＥＧからそれぞれ出力する。
インクジェットヘッド８２０は、駆動電圧パルスに対応してインクを吐出し、印刷紙に印字を行う。
【００３８】
また、ＣＰＵ８０２ａには記憶部８３０が接続されている。記憶部８３０は、実施の形態１の図２で説明したものと同じ構成を有する嗜好性テーブル８３０ａ（図示せず）を格納している。
【００３９】
ここでいう「印刷情報」とは、印字対象の画像等のデータを、ＣＰＵ８０２ａが解釈可能なフォーマットに変換したものである。
なお、外部装置８０３からバス８０３ａを介して印刷情報が供給される際には、その印刷情報の内容を簡潔に表す付帯情報、例えば「スポーツ」といった情報が、併せて供給されるように構成されている。
【００４０】
図８には記載していないが、本実施の形態３に係るプリンタは、外部装置８０３から印刷情報と付帯情報を受け取るためのインターフェース部を備える。このインターフェース部は、パラレルポートやＵＳＢ（Ｕｎｉｖｅｒｓａｌ  Ｓｅｒｉａｌ  Ｂｕｓ）のように外部装置８０３と直接接続するものでもよいし、ＬＡＮインターフェースのようにネットワークを介して外部装置８０３と接続するものでもよい。
【００４１】
本実施の形態３における「付帯情報受信部」は、上記インターフェース部がこれに相当する。
また、「画像出力部」は、ドライバＩＣ８０９とインクジェットヘッド８２０がこれに相当する。
また、「制御部」は、ＣＰＵ８０２ａがこれに相当する。
【００４２】
図９は、本実施の形態３に係るプリンタが、図８の外部装置８０３から印刷情報と付帯情報を受信したときの動作フローを示すものである。以下、各ステップの処理内容を説明する。
（Ｓ９０１）図８の外部装置が、印刷情報と付帯情報を送信する。プリンタは、バス８０３ａを介してその印刷情報と付帯情報を受信する。受信したこれらの情報は、ＣＰＵ８０２ａに出力される。
（Ｓ９０２）ＣＰＵ８０２ａは、ステップＳ９０１で受け取った付帯情報を基に、記憶部８３０が格納している嗜好性テーブル８３０ａの該当データを更新する。例えば付帯情報として「スポーツ」を受け取った場合、図２の１行目の「受信頻度」列の値を１つ加算する。
（Ｓ９０３）ＣＰＵ８０２ａは、嗜好性テーブル８３０ａが保持しているデータを読み取り、印字を実行する際の解像度の値を決定する。決定に際しては、印字しようとしている印刷情報の付帯情報が、嗜好性テーブル８３０ａ内でどの位置にあるかが影響する。図２のデータ例では、「スポーツ」の受信頻度は最も多いため、高い解像度とする。
（Ｓ９０４）ＣＰＵ８０２ａは、ステップＳ９０３で決定した解像度で印字を行うように、インクジェットヘッド駆動用の制御信号を生成する。ドライバＩＣ８０９は、その制御信号に基づき駆動電圧パルスを生成し、インクジェットヘッド８２０に印加する。
【００４３】
以上の処理により、ＣＰＵ８０２ａが決定した解像度で印字が行われる。解像度は、実施の形態１と同様に、ユーザの関心度に応じて自動的に調整される。
解像度の調整方法としては、インクを吐出するノズルを間引いて印字する、画像データ自体をダウンコンバートしてから印字する、あるいは印字時に近隣の複数のノズルをブロック化する、といった方法を採り得る。
なお、解像度を調整する替わりに、印字濃度を調整してもよい。この場合は、インク吐出量を調整するため、インクジェットヘッド８２０に印加する電圧を加減するように制御信号を生成する。電圧の加減により、インクを加圧する振動板等の振動幅が加減され、これによってインク吐出量を加減し、印字濃度が調整される。
【００４４】
以上のように、本実施の形態３によれば、実施の形態１と同様に、印字回数（＝受信頻度）を基準としてユーザの印字画像に対する関心度を判断し、これに合わせて解像度を自動的に調整することができる。
これにより、関心の低いカテゴリの画像等であれば低解像度で素早く印字することができ、ユーザビリティが増す。
また、インク吐出量を加減して印字濃度を調整するので、インクの消費を抑えることができ、ユーザにとって経済的なメリットがある。
【００４５】
実施の形態４．
本発明の実施の形態４では、印字回数に関わらず、ユーザが自分の関心のあるカテゴリを自ら設定することのできるプリンタの構成を説明する。
本実施の形態４に係るプリンタにおいて、嗜好性テーブル８３０ａは、実施の形態２の図６で説明したものと同様の構成を有する。また、図８には記載していないが、本実施の形態４に係るプリンタは、ユーザがリモコンないし操作パネルを操作することにより、その操作内容に対応した操作信号をＣＰＵ８０２ａに出力する操作信号処理部を備えているものとする。
なお、本実施の形態４における「操作部」は、上述の操作信号処理部がこれに相当する。
【００４６】
嗜好性テーブル８３０ａの「関心フラグ」列に値をセットする際のプリンタ内部の動作は、以下のようになる。
（１）ユーザはプリンタに付属のリモコンＲＣ又は操作パネルを操作し、図５のような画面で「関心」列のボタンをＯＮ／ＯＦＦ設定する。操作信号処理部は、その操作内容に対応する操作信号をＣＰＵ８０２ａに出力する。
（２）ＣＰＵ８０２ａは、操作信号処理部より受け取った操作信号を受け取り、記憶部８３０にアクセスして、嗜好性テーブル８３０ａの該当する行データの「関心フラグ」列に「０」又は「１」をセットする。「０」は図５の画面の「ＯＦＦ」に対応し、「１」は「ＯＮ」に対応する。
【００４７】
図１０は、本実施の形態４に係るプリンタが外部装置８０３から印刷情報と付帯情報を受信したときの動作フローを示すものである。以下、各ステップの処理内容を説明する。
（Ｓ１００１）〜（Ｓ１００２）の内容は、図９のステップＳ９０１〜Ｓ９０２と同様であるため、説明を省略する。
（Ｓ１００３）ＣＰＵ８０２ａは、嗜好性テーブル８３０ａが保持しているデータを読み取り、ステップＳ１００１で受け取った付帯情報に対応するデータの「関心フラグ」列の値を確認する。同列の値が「１」であればステップＳ１００５へ進み、それ以外であればステップＳ１００４へ進む。
（Ｓ１００４）ＣＰＵ８０２ａは、ステップＳ１００１で受け取った印刷情報を印字する際の解像度の値を決定する。決定処理の内容は、図９のステップＳ９０３と同様である。
（Ｓ１００５）ＣＰＵ８０２ａは、ステップＳ１００１で受け取った印刷情報を投射する際の解像度の値を最高レベルに決定する。
（Ｓ１００６）ＣＰＵ８０２ａは、ステップＳ１００４又はＳ１００５で決定した解像度で印字を行うように、インクジェットヘッド駆動用の制御信号を生成する。ドライバＩＣ８０９は、その制御信号に基づき駆動電圧パルスを生成し、インクジェットヘッド８２０に印加する。
【００４８】
以上の処理により、ユーザが「関心＝ＯＮ」に設定したカテゴリの画像データ等を印字する際は、それまでの印字回数（＝受信頻度）に関わらず、最高レベルの解像度で印字されることとなる。
なお、解像度を調整する代わりに、印字濃度を調整するように構成してもよい。
【００４９】
以上のように、本実施の形態４によれば、ユーザは自分の関心のあるカテゴリについて最高レベルの解像度で印字するように自ら設定できる。
この機能によれば、実施の形態３で説明したような解像度を自動調整する機能を利用しつつ、印字回数は少ないが綺麗に印字したい特殊な画像などの場合は最高解像度で印字するように事前設定しておき、解像度を都度設定しなくても済む。
そのため、実施の形態３と同様の効果を維持し、かつユーザにとっては、高解像度を望む場合でも解像度を都度設定する手間が省けるため、使い勝手のよいプリンタを提供することができる。
【図面の簡単な説明】
【００５０】
【図１】実施の形態１に係るプロジェクタの構成を示すブロック図である。
【図２】嗜好性テーブル５１ａの構成とデータ例を示すものである。
【図３】実施の形態１に係るプロジェクタの利用シーンの一例を示すものである。
【図４】映像信号と付帯情報を受信したときの動作フローを示すものである。
【図５】ユーザが自分の関心のあるカテゴリについて設定する画面である。
【図６】実施の形態２における嗜好性テーブル５１ａの構成とデータ例である。
【図７】実施の形態２に係るプロジェクタの動作フローを示すものである。
【図８】インクジェットヘッドの制御系の構成例を示す概略ブロック図である。
【図９】印刷情報と付帯情報を受信したときの動作フローを示すものである。
【図１０】印刷情報と付帯情報を受信したときの動作フローを示すものである。
【符号の説明】
【００５１】
１  プロジェクタ、２  ＰＣ、１３  光源、１４  液晶ライトバルブ駆動部、１５Ｒ、１５Ｇ、及び１５Ｂ  液晶ライトバルブ、１６  投射光学系、ＳＣ  スクリーン、２１  制御部、３１  映像入力部、３２  映像信号処理部、３３  フレームメモリ、４１  操作パネル、４２  操作信号処理部、５１  記憶部、５１ａ  嗜好性テーブル、６１  付帯情報受信部、３０１  プロジェクタ、３０２  ノートＰＣ、８０２  インクジェットヘッド制御部、８０２ａ  ＣＰＵ、８０２ｂ  内部バス、８０３  外部装置、８０３ａ  バス、８０４ａ  ＲＯＭ、８０４ｂ  ＲＡＭ、８０４ｃ  キャラクタジェネレータ、８０５  論理ゲートアレイ、８０６  駆動パルス発生回路、８０７  コネクタ、８０８  ヘッド基板、８０９  ドライバＩＣ、ＣＯＭ  共通出力端子、ＳＥＧ  個別出力端子、８２０  インクジェットヘッド、８３０  記憶部、８３０ａ  嗜好性テーブル。
【図１】
2008145754.tif 000003
【図２】
2008145754.tif 000004
【図３】
2008145754.tif 000005
【図４】
2008145754.tif 000006
【図５】
2008145754.tif 000007
【図６】
2008145754.tif 000008
【図７】
2008145754.tif 000009
【図８】
2008145754.tif 000010
【図９】
2008145754.tif 000011
【図１０】
2008145754.tif 000012